(57)【要約】【課題】  ページがめくられるように表示されるウエブページにおいて、めくられる状態やめくられた後の表示をより興味深くなるようにウエブページを表示すること。【解決手段】  写真を含む複数のページがめくられるようにして表示されるコンテンツをウエブページ上に表示するためのウエブページデータを作成するユーザ端末と、ユーザ端末からウエブページデータの転送を受けて、ウエブページデータを格納するウエブサーバと、ウエブサーバにアクセスしてウエブページを閲覧するためのブラウザを備えた閲覧者端末とが、通信ネットワークを介して接続されたウエブページ表示システムであって、ウエブページデータは、表示されるウエブページ上のコンテンツの一のページがめくられた後に表示されるページに写真画像がある場合に、その写真画像と、写真画像状態から開始される動画映像とを置き換えて表示する。【選択図】図１
2009025940.tif 000002
【特許請求の範囲】
【請求項１】
写真を含む複数のページがめくられるようにして表示されるコンテンツをウエブページ上に表示するためのウエブページデータを作成するユーザ端末と、
前記ユーザ端末から前記ウエブページデータの転送を受けて、前記ウエブページデータを格納するウエブサーバと、
前記ウエブサーバにアクセスして前記ウエブページを閲覧するためのブラウザを備えた閲覧者端末とが、
通信ネットワークを介して接続されたウエブページ表示システムであって、
前記ウエブページデータは、表示されるウエブページ上のコンテンツの一のページがめくられた後に表示されるページに写真画像がある場合に、前記写真画像と、前記写真画像から開始される動画映像とを置き換えて表示するものである、
ウエブページ表示システム。
【請求項２】
前記動画映像が前記一のページがめくられたことを検知して置き換えられて、再生を始めるウエブページデータである、請求項１記載のウエブページ表示システム。
【請求項３】
前記ウエブサーバと前記通信ネットワークを介して接続され、前記動画映像とアドレスを関連づけて格納した動画サーバを備え、
前記ウエブページのデータには、前記ウエブページの前記写真画像とは別のデータとして、前記ウエブページ内に備えた前記アドレスをリンク先として含ませ、ウエブページに表示された前記アドレスへのアクセスによって前記動画サーバに格納した動画映像を再生させる
請求項１又は請求項２記載のウエブページ表示システム。
【請求項４】
前記動画再生がストリーミング方式である請求項１から請求項３のいずれかに記載の動画配信システム。
【請求項５】
画像ページを表示する画像表示ステップと、
前記画像表示ステップにより表示された画像ページの一部をドラッグするドラッグステップと、
次の画像ページに進む場合には、前記ドラッグステップによるドラッグに応じてページがめくられる状態及びめくられるページの裏面をも表示するページめくりステップと、
前記ドラッグステップによるめくられる状態の表示が完了した場合にめくられた次ページの画像を表示する次ページ表示ステップと、
前記次ページ表示ステップによりめくられて表示された次ページの画像内に写真画像がある場合に前記写真画像を動画映像の初期画面に置き換える動画置換ステップと、
前記動画置換ステップにより前記写真画像が動画映像に置き換えられた動画映像を前記初期画面から再生する動画再生ステップと、
からなるウエブページ表示方法
【請求項６】
前記写真画像置換ステップとは別に、ウエブページ内のリンク先に基づいて、通信ネットワークを介して接続された動画サーバに格納された動画映像を再生させる外部動画映像再生ステップを含む、請求項５記載のウエブページ表示方法。
【請求項７】
前記動画置換ステップが、前記次ページ表示ステップによりめくられた次ページが表示されたことを検知して置き換わるステップを含む、請求項５又は請求項６記載のウエブページ表示方法。
【請求項８】
前記動画再生ステップが、前記動画置換ステップにより、めくられたページの画像内の写真を動画に置き換えた場合に、自動的に置き換え動画の再生を行う、請求項５から請求項７のいずれかに記載のウエブページ表示方法。
【請求項９】
前記動画再生がストリーミング方式である請求項５から請求項８のいずれかに記載のウエブページ表示方法。
【発明の詳細な説明】
【技術分野】
【０００１】
本発明は、ＷＷＷ（ワールドワイドウエブ）上で、ページの表示を動画でめくられるように表示するウエブページ表示システム及びその表示方法に関し、特に写真画像を動画映像に置き換えるウエブページ表示システム及びその表示方法に関する。
【背景技術】
【０００２】
従来より、インターネットに各種ウエブサイトが存在し、企業の宣伝や広告等に不可欠なものとなっている。ウエブサイトはウエブブラウザに一度に表示されるデータのまとまりで、テキストデータやＨＴＭＬによるレイアウト情報、文書中に埋め込まれた画像や音声、動画などから構成される。
【０００３】
インターネット上では本のように複数のウエブページをひとまとめに公開するのが普通で、そのようなウエブページのまとまりをウエブサイトという。ウエブサイトは、本の表紙や目次に当たるトップページとそこからリンクされた他のウエブページで構成される。
【０００４】
かかるウエブページの表示に際しては種々の技術が存在し、例えば、ユーザの端末装置に表示されるユーザインターフェースにおいて、新聞紙面イメージを維持したまま、ユーザにとって必要な記事情報だけを横断的に閲覧可能とすることを目的として、新聞紙面から可読な見出し情報のみを新聞紙面上の配置のまま電子データで表示し、ユーザにより前記可読な見出し情報が選択的に指定されたときに、前記見出し情報と関連付けられた記事情報を可読的な表示データとして表示装置上に表示する段階的情報表示方法がある（特許文献１参照）。
【０００５】
また、特許文献１記載の発明における処理が複雑化されることに鑑みて、新聞紙面を記事と写真・画像との区別無く一括してイメージデータ処理を行い、各記事項目枠についても特別な制限がなく処理が可能となるように構成し、動画像、３Ｄ画像、音声によるナレーション、解説、ＢＧＭ（ＢａｃｋＧｒｏｕｎｄ
Ｍｕｓｉｃ）等を付加して多彩な報道コンテンツの組み合わせにより、新聞の電子配達や各種印刷・出版物の電子配信に適用可能な出版物発行配信システムを提供することを目的として、新聞、雑誌等の出版物を、見出し項目毎に文字記事、写真、広告等を読み込み、連続写真、３Ｄ画像、映像、音声等の各種紙面データに編集してウエブブラウザで表示可能なファイル形式にし、ウエブサーバを介して配信するもので、紙面上にリッチメディアコンテンツを表示するための所定のリッチメディア表示枠を設定してリッチメディアコンテンツを選択可能とするリッチメディアメニューを表示し、メニューで選択された個々のコンテンツを表示枠内に表示する手段と、表示枠に表示される画像にスクロールボタンを配置して表示画像を入れ替え複数のコンテンツを閲覧可能とする手段と、広告記事と２Ｄ・３Ｄ画像による広告内容を入れ替える手段と、紙面の拡大・縮小手段と、紙面のページめくり手段と、ウエブ用の３Ｄ画像を生成する手段とを有する出版物発行配信システムがある（特許文献２参照）。
【０００６】
特許文献２記載の発明によれば、新聞紙面をコンテンツ毎の画像単位で分割し、一括イメージデータ処理することによって編集処理、伝送処理及び表示処理の効率化、スピードアップが可能となり、動画像、写真画像の３Ｄ画像化による表示サービスの向上と、朗読、アナウンス、音楽等の音声付加による多彩なリッチメディアコンテンツの導入によってユーザの興味を満足させ、特別なソフトをユーザ端末（パーソナルコンピュータ）にインストールすることも無くユーザサービスの拡大を図ることができる。
【０００７】
また、それぞれのイメージページをより見やすくして表示することを目的に、イメージページ作成支援装置により、ページがめくられるようにして表示されるイメージページの作成支援が行われ、ネットワークを介してイメージページ作成支援装置に接続されるユーザＡ端末、ユーザＢ端末及びユーザＣ端末のいずれかにより、たとえばホームページの作成依頼が行われ、作成されたイメージページの閲覧がユーザＡ端末、ユーザＢ端末及びユーザＣ端末により行われるようにするイメージページデータ作成支援システムがある（特許文献３参照）。
【０００８】
特許文献３記載の発明によれば、メージページ作成支援装置により、ページがめくられるようにして表示されるイメージページの作成支援が行われ、ネットワークを介してイメージページ作成支援装置に接続されるユーザ端末により、イメージページの作成依頼と、作成されたイメージページの閲覧とが行われるようにすることができ、イメージページの作成が複雑な処理を必要とすることなく簡単に効率よく行うことができるばかりか、それぞれのイメージページをより見やすくすることができる。
【０００９】
【特許文献１】特開２００２―２３６７０１号公報
【特許文献２】特開２００６−２９３９３９号公報
【特許文献３】特開２００５−２０８７６９号公報
【発明の開示】
【発明が解決しようとする課題】
【００１０】
しかし、特許文献２及び特許文献３記載の発明は、いずれも、誌面をビットマップなどに置き換えて全体をイメージ的に表示するものである。特許文献３に記載された技術によって、ページがめくられるように表示されるように表示しても、実際には、閲覧者が次のページを見て面白くなければ次のページを見ることはなく、ページがめくられるように表示するだけでは、閲覧者にとって当該ウエブサイト魅力はそれほど大きくはないため、めくられる状態やめくられた後の表示をより興味深くしたウエブページを表示する技術が望まれていた。
【課題を解決するための手段】
【００１１】
（１）上記課題を解決するため、本発明に係るウエブページ表示システムは、写真を含む複数のページがめくられるようにして表示されるコンテンツをウエブページ上に表示するためのウエブページデータを作成するユーザ端末と、ユーザ端末からウエブページデータの転送を受けて、ウエブページデータを格納するウエブサーバと、ウエブサーバにアクセスしてウエブページを閲覧するためのブラウザを備えた閲覧者端末とが、通信ネットワークを介して接続されたウエブページ表示システムであって、ウエブページデータは、表示されるウエブページ上のコンテンツの一のページがめくられた後に表示されるページに写真画像がある場合に、写真画像と、写真画像から開始される動画映像とを置き換えて表示するものである。
【００１２】
（２）また、本発明に係るウエブページ表示システムは、（１）において、動画映像が一のページがめくられたことを検知して置き換えられて、再生を始めるウエブページデータである。
【００１３】
（３）また、本発明に係るウエブページ表示システムは、（１）又は（２）において、ウエブサーバと通信ネットワークを介して接続され、動画映像とアドレスを関連づけて格納した動画サーバを備え、ウエブページのデータには、ウエブページの写真画像とは別のデータとして、ウエブページ内に備えたアドレスをリンク先として含ませ、ウエブページに表示されたアドレスへのアクセスによって動画サーバに格納した動画映像を再生させる。
【００１４】
（４）さらに、本発明に係るウエブページ表示システムは、動画再生がストリーミング方式であってもよい。
【００１５】
（５）上記課題を解決するため、本発明に係るウエブページ表示方法は、画像ページを表示する画像表示ステップと、画像表示ステップにより表示された画像ページの一部をドラッグするドラッグステップと、次の画像ページに進む場合には、ドラッグステップによるドラッグに応じてページがめくられる状態及びめくられるページの裏面をも表示するページめくりステップと、ドラッグステップによるめくられる状態の表示が完了した場合にめくられた次ページの画像を表示する次ページ表示ステップと、次ページ表示ステップによりめくられて表示された次ページの画像内に写真画像がある場合に写真画像を動画映像の初期画面に置き換える動画置換ステップと、動画置換ステップにより写真画像が動画映像に置き換えられた動画映像を初期画面から再生する動画再生ステップとからなる。
【００１６】
（６）また、本発明に係るウエブページ表示方法は、（５）において、写真画像置換ステップとは別に、ウエブページ内のリンク先に基づいて、通信ネットワークを介して接続された動画サーバに格納された動画映像を再生させる外部動画映像再生ステップを含む。
【００１７】
（７）また、本発明に係るウエブページ表示方法は、（５）又は（６）において、動画置換ステップが、次ページ表示ステップによりめくられた次ページが表示されたことを検知して置き換わるステップを含む。
【００１８】
（８）また、本発明に係るウエブページ表示方法は、（５）から（７）において、動画再生ステップが、動画置換ステップにより、めくられたページの画像内の写真を動画に置き換えた場合に自動的に再生を行う。
【００１９】
（９）また、本発明に係るウエブページ表示方法は、動画再生がストリーミング方式であってもよい。
【発明の効果】
【００２０】
本発明によれば、ウエブページがめくられるように表示されるばかりか、めくられた後のページに写真がある場合には、それが動画映像として動き出すため、非常に興味深いページとして閲覧者を惹きつけることができる。
【発明を実施するための最良の形態】
【００２１】
以下、本発明を実施するための最良の形態について、図面を参照しつつ説明する。なお、本明細書においては「ホームページ」と「ウエブページ」は同義であるものとして説明する。
【００２２】
図1は、本発明の実施の形態ウエブページ表示システムのブロック図である。図１には、写真を含む複数のページがめくられるようにして表示されるコンテンツをウエブページ上に表示するためのウエブページデータを作成するユーザ端末４０と、ユーザ端末４０からウエブページデータの転送を受けて、ウエブページデータを格納するウエブサーバ２０と、ウエブサーバ２０にアクセスしてウエブページを閲覧するためのブラウザを備えた閲覧者端末６０とが、通信ネットワーク５０を介して接続されたウエブページ表示システム１０が開示されている。
【００２３】
図１において、ユーザ端末４０と、ウエブサーバ２０と、閲覧者端末６０とは、通信ネットワーク５０を介して接続されており、ユーザ端末４０は、写真を含む複数のページがめくられるようにして表示されるコンテンツをウエブページ上に表示するためのウエブページデータを作成する。
【００２４】
ウエブサーバ２０は、ユーザ端末４０からウエブページデータの転送を受けて、ウエブページデータを格納する。ウエブページを作成する作成者はプロバイダのウエブサーバにウエブページデータを格納することによりウエブページを作成し、ウエブサイトを構築する。
【００２５】
ユーザ端末４０にて作成されたウエブページデータは通信ネットワーク５０を介してウエブサーバ２０に格納される。ウエブサーバ２０は、ＵＲＬ（Ｕｎｉｆｏｒｍ  Ｒｅｓｏｕｒｃｅ  Ｌｏｃａｔｏｒ）の指定に基づく要求されたファイルを送出する。
【００２６】
閲覧者端末６０は、ウエブサーバ２０にアクセスしてウエブページを閲覧するためのブラウザを備える。ここで通信ネットワーク５０と接続する閲覧者端末６０の使用者は、自己の閲覧者端末６０にてブラウザを起動しＨＴＴＰプロトコルを使用し、当該ウエブサーバ２０からウエブページデータを受信して自己の閲覧者端末６０にホームページを表示する。これにより閲覧者は閲覧者端末６０から所望のホームページを参照することができる。
【００２７】
図２は、本発明の実施の形態に係るウエブページ表示システムの表示画像例である。ユーザ端末４０により作成されたウエブページデータのコンテンツは、写真を含む複数のページがめくられるようにして表示される。
【００２８】
図２には、ページがめくられるように表示されるウエブサイト２００における表示画像の一例が示されている。具体的には図２（ａ）、図２（ｂ）、図３（ｃ）の順番で時系列に示されており、図示したようにあたかも書籍やパンフレットのページがめくられるように表示される。マウス等による画面の指示（ポインタ２１０）に基づいてドラッグによってページを引っ張るようにしてページがめくられるように表示してもよい。
【００２９】
かかる表示は、例えば、フラッシュ（登録商標）によるアクションスプリクトにより、アニメーション表示で実現することができる。アクションスクリプトとは、アドビシステムズ社（旧マクロメディア社）のウエブ向けアニメーションツールである「フラッシュ（登録商標）」に内蔵されている、コンテンツの再生制御などを行なうためのスクリプト言語をいい、Ｊａｖａ（登録商標）スクリプトの標準規格であるＥＣＭＡスクリプトと互換性があるものである。
【００３０】
フラッシュ（登録商標）では、音声やベクターグラフィックスのアニメーションを組み合わせてコンテンツを作成し、各々のオブジェクトをいつどのように再生するかを細かく制御することができる。また、ユーザのマウス操作などの入力を受けてそれに応じた動きをするなど、コンテンツに双方向性を持たせることができる。
【００３１】
マウスによりポインタを急に移動させる操作がされた場合には、ページが破れてしまうようなアニメーションとして構成することもできる。このようにすることでホームページ閲覧者は興味をもってホームページを閲覧できる。
【００３２】
さらに、めくったときに影ができたり、めくった途中に裏紙が見えるように表示することであたかも目の前の書籍やパンフレットを実際に手でめくっているように感じられるように、臨場感にあふれる状態で表示することで、ホームページ閲覧者は次のページへの興味がかき立てられる。
【００３３】
図３乃至図５は、本発明の実施の形態に係るウエブページ表示システムの表示画面例である。ウエブページデータは、表示されるウエブページ上のコンテンツの一のページがめくられた後に表示されるページに写真画像２５０がある場合に、写真画像２５０と、写真画像２５０から開始される動画映像２５０、２６０，２７０とを置き換えて表示する。図３乃至図５には、図３において示した写真画像２５０である人の絵が、動画映像に置き換わり、図３、図４、図５の順で動画映像２５０〜２７０として歩いて移動している様子が示されている。図３、図４、図５は、動画映像の一部を表示したものであり、実際には動画映像として連続的に表示される。
【００３４】
また、動画映像２５０〜２７０は、一のページがめくられたことを検知して写真画像２５０から置き換えられて、動画映像が再生を始めるようウエブページデータを構成することもできる。また、この動画映像そのものについては、フラッシュ（登録商標）のアクションスクリプトで構成してもよい。
【００３５】
また、データ容量の負担を軽くするため、短い動画映像を繰り返し再生するものであってもよいし、ページがめくられる様子を示す部分がウエブページの一部であってもよい。その場合には他の領域にＨＴＭＬによるテキストデータの領域を設けることも可能である。
【００３６】
上記のＨＴＭＬによるものに替えて、フラッシュによるＦＬＡファイル作成時のページ内に、テキストや動画、写真などのＳＷＦファイルを複合的に組み込み、タイムラインをアクションスクリプトでコントロールすることによって、ＨＴＭＬ以上のインタラクティブ(双方向)機能を持たせることも可能である。
【００３７】
さらにそのページに、レイヤー(透明多重構造)を持たせると、動画の上にスイッチ(アクションボタン)を持たせることもできる。
【００３８】
ホームページ閲覧者は、めくったページに写真があると考えていたにもかかわらず、ページをめくった途端にその写真が動き出すことで、さらにホームページへの興味がかき立てられる。
【００３９】
図６は、本発明の他の実施の形態に係るウエブページ表示システムのブロック図である。図１と同一の符号を付したものは同一のものである。
図１には、ウエブサーバ２０と通信ネットワーク５０を介して接続され、動画映像として表示される動画映像データとアドレスを関連づけて格納した動画サーバ３０を備えており、ウエブページデータ内には、上述した写真画像とは別のデータとして、ウエブページ内に備えたアドレスをリンク先として含ませ、ウエブページに表示されたアドレスへのアクセスにより動画映像を再生させる
【００４０】
動画サーバ３０は、動画映像データとアドレスを関連づけて格納する。ここで図７を参照する。図７は、本発明の実施の形態に係るウエブページ表示システム１０に用いられる動画サーバ３０の内部のテーブル３００である。
【００４１】
テーブル３００は動画サーバ３０に備えられおり、その図７においては、例えば、動画サーバ３０にＸ社宣伝用動画が格納されており、同時にそれに対応するアドレスが関連づけられている。
【００４２】
そして、ユーザ端末４０から通信ネットワーク５０を介してウエブサーバ２０に格納されたウエブページデータには、表示されるべきウエブページ上に上記アドレスをリンク先として表示するようにしておく。このリンク先の表示は、例えば必ずしもアドレスそのものでなくともよく、例えば、写真画像２５０として表示し、当該写真画像２５０をクリックするとリンクするような表示であってもよい。
【００４３】
また、上記したウエブページ内のＨＴＭＬやＳＷＦファイルなどによるテキストデータ領域に文字、ボタン、動画等によりアドレスを表示してもよい。
【００４４】
この状態で、当該アドレスにアクセスすることで、動画サーバ３０に格納された動画が閲覧者端末６０の画面にて再生され、閲覧者は動画を閲覧することができる。この動画の再生にはストリーミング技術を用いても良い。
【００４５】
図８は本発明の実施の形態に係るウエブページ表示方法のフローチャートである。図８には、画像ページを表示する画像表示ステップ（Ｓ８１０）と、画像表示ステップ（Ｓ８１０）により表示された画像ページの一部をドラッグするドラッグステップ（Ｓ８２０）と、次の画像ページに進む場合には（Ｓ８３０）、ドラッグステップ（Ｓ８２０）によるドラッグに応じてページがめくられる状態及びめくられるページの裏面をも表示するページめくりステップ（Ｓ８４０）と、ドラッグステップ（Ｓ８３０）によるめくられる状態の表示が完了した場合にめくられた次ページの画像を表示する次ページ表示ステップ（Ｓ８５０）と、次ページ表示ステップ（Ｓ８５０）によりめくられて表示された次ページの画像内に写真画像がある場合に、その写真画像を動画映像の初期画面に置き換える動画置換ステップ（Ｓ８６０）と、動画置換ステップ（Ｓ８６０）により写真画像が動画映像に置き換えられた動画映像を初期画面から再生する動画再生ステップ（Ｓ８７０）とからなるウエブページ表示方法が図示されている。
【００４６】
画像表示ステップ（Ｓ８１０）は、画像ページを表示する。閲覧者端末６０のブラウザがＵＲＬの指定を行うことでウエブサーバ２０が要求されたファイルを送出することでウエブページが表示される。
【００４７】
ドラッグステップ（Ｓ８２０）は、画像表示ステップ（Ｓ８１０）により表示された画像ページの一部をドラッグする。例えば、書籍やパンフレット風の画像の右端をクリックしてドラッグしつつページを移動させるようにしてドラッグする。
【００４８】
次の画像ページに進む場合には（Ｓ８３０）、ページめくりステップ（Ｓ８４０）は、ドラッグステップ（Ｓ８２０）によるドラッグに応じてページがめくれかけた状態の画像及びめくられるページの裏面をも表示する。
【００４９】
次ページ表示ステップ（Ｓ８５０）は、ドラッグステップ（Ｓ８３０）によるめくられた画像を表示する。めくる動作が完了した場合に、次ページの完全な画像を表示する。
【００５０】
動画置換ステップ（Ｓ８６０）は、次ページ表示ステップ（Ｓ８５０）によりめくられて表示された次ページの画像内に写真画像がある場合に、その写真画像を動画映像の初期画面に置き換える。次ページ表示ステップによりめくられた次ページが表示されたことを検知して置き換わるステップを含んでもよい。
【００５１】
動画再生ステップ（Ｓ８７０）は、動画置換ステップ（Ｓ８６０）により写真画像が動画映像に置き換えられた動画映像を初期画面から再生する。動画再生ステップ（Ｓ８７０）は、動画置換ステップ（Ｓ８６０）により、めくられたページの画像内の写真を動画に置き換えた場合に、自動的に置き換え動画の再生を行うものであってもよい。
【００５２】
図９は、本発明の他の実施の形態に係るウエブページ表示方法のブロック図である。図８と同一符号は同一内容である。
図９には、図８で示したウエブページ表示方法にさらに、ウエブページ内の画像テキスト、文字、ボタン等で表示されたリンク先に基づいて、通信ネットワークで接続された動画サーバに格納された動画映像を再生させる外部動画再生ステップ（Ｓ８８０、Ｓ８９０）が開示されている。
【００５３】
外部動画再生ステップ（Ｓ８８０、Ｓ８９０）は、ウエブページ内のリンク先に基づいて、通信ネットワークで接続された動画サーバに格納された動画映像を再生させる。この点については図１０においてさらに説明する。
【００５４】
図１０は、本発明の他の実施の形態に係るウエブページ表示方法のフローチャートである。図１０には、写真画像置換ステップ（Ｓ８６０）とは別に、ウエブページ内のリンク先に基づいて、通信ネットワークを介して接続された動画サーバに格納された動画映像を再生させる外部動画映像再生ステップの詳細が述べられている。
【００５５】
ウエブサーバにウエブページを表示するためのウエブページデータを格納するウエブページ格納ステップ（Ｓ１０１０）と、動画データをアドレスと関連づけて動画サーバに格納する動画格納ステップ（Ｓ１０２０）と、ユーザ端末のブラウザが起動され、閲覧されるべきウエブページにアドレスを動画データのリンク先として表示するリンク表示ステップ（Ｓ１０３０）と、リンク表示ステップ（Ｓ１０３０）により表示されたアドレスへのユーザ端末からのアクセスにより動画を再生させる動画再生ステップ（Ｓ１０６０）とを含む動画配信方法のフローチャートが図示されている。
【００５６】
ウエブページ格納ステップ（Ｓ１０１０）は、ウエブサーバ２０にウエブページを表示するためのウエブページデータを格納する。
【００５７】
動画格納ステップ（Ｓ１０２０）は、動画データをアドレスを関連づけて動画サーバ３０に格納する。リンク表示ステップ（Ｓ１０３０）は、ユーザ端末のブラウザが起動され、閲覧されるべきウエブページにアドレスを動画データのリンク先として表示する。
【００５８】
ここで閲覧者が当該リンク先の動画を視聴したいか否かの判断に基づき（Ｓ１０４０）、閲覧者が当該動画を視聴したい場合には、識別情報の入力を求めて識別情報が一致するか否かを判断し（Ｓ１０５０）、識別情報が当該動画を視聴できる会員であることを示す識別情報と一致する場合には、再生ステップ（Ｓ１０６０）へ進む。なお、識別情報の入力を求めるか否かは任意である。
【００５９】
動画再生ステップ（Ｓ１０６０）は、リンク表示ステップ（Ｓ１０３０）により表示されたアドレスへのユーザ端末からのアクセスにより動画を再生させる。
この動画の再生は、動画サーバ３０からのストリーミングによる再生であってもよい。
【００６０】
上記説明した本発明の実施の形態により、以下のようなシステムの運用が可能となる。
（１）インターコマーシャルサービスシステム
ホームページを所有する企業による動画添付の需要を受けるホームページ製作会社、広告代理店又は印刷会社等によって、本発明の実施の形態が実施されると、ホームページ所有企業は、動画サーバ所有会社に使用料を支払い、動画サーバ所有者からホームページ製作会社、広告代理店又は印刷会社等にインセンティブを支払うことで、実施が促進される。ホームページ所有企業は、容量の少ない契約のホームページであっても、外部サーバへのリンクによって、容易に動画を自己のホームページに表示することが可能となる。
【００６１】
また、動画サーバ所有者は、動画サーバへのアクセスを分析・集計して、ホームページ製作会社、広告代理店又は印刷会社等にアクセス情報を提供することが可能となる。この場合、ホームページ所有企業は、動画の視聴に際して課金するような設定にしてもよい。
【００６２】
（２）インターネットメディアチャンネルサービスシステム
ブロードバンド・インターネットに接続している閲覧者を対象に、専門チャンネルを束ねたＰＣ向けウエブ配信を行うこともできる。動画サーバ所有者が、専門チャンネルである放送委託事業者と契約してアドレスと関連づけた動画の格納を行い、閲覧者は、放送委託事業者のホームページのリンクを経由して動画サーバにアクセスし、ＩＤ、パスワードによる個人認証を行い、課金に際してはクレジット決済を使用して専門チャンネルを個人に配信することが可能となる。
【産業上の利用可能性】
【００６３】
本発明は、ウエブページ表示システム及びその表示方法であり、インターネット技術を用いたシステムへの利用の可能性がある。
【図面の簡単な説明】
【００６４】
【図１】本発明の実施の形態に係るウエブページ表示システムのブロック図である。
【図２】本発明の実施の形態に係るウエブページ表示システムの表示画像例である。
【図３】本発明の実施の形態に係るウエブページ表示システムの表示画像例である。
【図４】本発明の実施の形態に係るウエブページ表示システムの表示画像例である。
【図５】本発明の実施の形態に係るウエブページ表示システムの表示画像例である。
【図６】本発明の他の実施の形態に係るウエブページ表示システムのブロック図である。
【図７】本発明の他の実施の形態に係るウエブページ表示システムの動画サーバ内のテーブルを示す図である。
【図８】本発明の実施の形態に係るウエブページ表示方法を示すフローチャートである。
【図９】本発明の実施の形態に係るウエブページ表示方法を示すフローチャートである。
【図１０】本発明の実施の形態に係るウエブページ表示方法を示すフローチャートである。
【符号の説明】
【００６５】
１０  ウエブページ表示システム
２０  ウエブサーバ
３０  動画サーバ
４０  ユーザ端末
５０  通信ネットワーク
６０  閲覧者端末
２００  ウエブページ
２１０  ポインタ
２２０  ウエブページ
２５０  写真画像及び動画映像の初期画面
２６０  動画映像
２７０  動画映像
【図１】
2009025940.tif 000003
【図２】
2009025940.tif 000004
【図３】
2009025940.tif 000005
【図４】
2009025940.tif 000006
【図５】
2009025940.tif 000007
【図６】
2009025940.tif 000008
【図７】
2009025940.tif 000009
【図８】
2009025940.tif 000010
【図９】
2009025940.tif 000011
【図１０】
2009025940.tif 000012